(57)【要約】【課題】給気ファン及び排気ファンと、ケーシング内の空気の流通経路を切り換える複数のダンパとを備える調湿装置において、給気ファンや排気ファンを停止させる際の各ファンの負荷を低減させる。【解決手段】給気ファン（26）、排気ファン（25）、及び複数のダンパ（41〜48）を制御する制御手段（30）が、給気ファン（26）及び排気ファン（25）のうち少なくとも一方を停止させる場合に、停止させるファン（25,26）に停止指令を出力した時点から所定の制御時間の経過後に、停止指令を出力したファン（25,26）と同じ流通経路のダンパ（41〜48）に対して、閉状態への切換指令を出力する。【選択図】図１０
2009109142.tif 000002
【特許請求の範囲】
【請求項１】
第１空気及び第２空気が内部を流通するケーシング（11）を備え、
上記ケーシング（11）には、それぞれに吸着剤が担持された第１吸着用部材（51）及び第２吸着用部材（52）と、上記第１吸着用部材（51）及び第２吸着用部材（52）に空気を送るための給気ファン（26）及び排気ファン（25）と、上記第１空気及び第２空気の流通経路を切り換えるための複数のダンパ（41〜48）とが設けられ、
上記各ダンパ（41〜48）を開状態と閉状態との間で切り換えることによって、上記第１吸着用部材（51）で第１空気を除湿すると同時に上記第２吸着用部材（52）で第２空気を加湿する第１動作と、該第２吸着用部材（52）で第１空気を除湿すると同時に該第１吸着用部材（51）で第２空気を加湿する第２動作とを交互に行い、該第１空気と第２空気との一方を上記給気ファン（26）によって室内へ供給して、他方を上記排気ファン（25）によって室外へ排出する調湿装置であって、
上記給気ファン（26）、上記排気ファン（25）、及び上記複数のダンパ（41〜48）を制御する制御手段（30）を備え、
上記制御手段（30）は、上記給気ファン（26）及び排気ファン（25）のうち少なくとも一方を停止させる場合に、停止させるファン（25,26）に停止指令を出力した時点から制御時間の経過後に、該停止指令を出力したファン（25,26）と同じ流通経路のダンパ（41〜48）に対して、閉状態への切換指令を出力することを特徴とする調湿装置。
【請求項２】
請求項１において、
上記制御手段（30）には、上記制御時間が予め設定されていることを特徴とする調湿装置。
【請求項３】
請求項２において、
上記制御手段（30）では、上記停止指令の出力時点から該停止指令を受けたファン（25,26）が停止するまでの時間よりも長い時間に上記制御時間が設定されていることを特徴とする調湿装置。
【請求項４】
請求項１において、
上記制御手段（30）は、上記停止指令を受けたファン（25,26）における該停止指令の出力時点の回転速度に基づいて上記制御時間を決定することを特徴とする調湿装置。
【請求項５】
請求項１において、
上記制御手段（30）は、上記制御時間が、上記停止指令の出力時点から該停止指令を受けたファン（25,26）の回転速度が所定の設定速度を下回った時点までの時間になるように構成されていることを特徴とする調湿装置。
【請求項６】
請求項１において、
上記制御手段（30）は、上記制御時間が、上記停止指令の出力時点から該停止指令を受けたファン（25,26）の回転速度が所定の設定速度を下回った時点までの時間に所定の時間を加えた時間になるように構成されていることを特徴とする調湿装置。
【請求項７】
請求項１乃至６の何れか１つにおいて、
上記ケーシング（11）には、上記第１吸着用部材（51）及び第２吸着用部材（52）をバイパスする空気が流通するバイパス通路（81,82）が形成されると共に、該バイパス通路（81,82）での空気の流通を断続するためのバイパス用のダンパ（49,50）が設けられ、
上記バイパス用のダンパ（49,50）のみを開状態に設定した状態で、空気の湿度調節を行うことなく上記バイパス通路（81,82）を通じて室内の換気を行う単純換気運転を行う一方、
上記制御手段（30）は、上記単純換気運転において上記給気ファン（26）及び排気ファン（25）のうち少なくとも一方を停止させる場合に、停止させるファン（25,26）に停止指令を出力した時点から所定の制御時間の経過後に、該停止指令を出力したファン（25,26）と同じ流通経路のバイパス用のダンパ（49,50）に対して、閉状態への切換指令を出力することを特徴とする調湿装置。
【発明の詳細な説明】
【技術分野】
【０００１】
本発明は、空気の湿度調節を行う調湿装置に関するものである。
【背景技術】
【０００２】
従来より、空気の湿度調節を行う調湿装置が知られている。例えば、特許文献１及び特許文献２には、表面に吸着剤が担持された吸着用部材を用いて、空気の湿度調節を行う調湿装置が開示されている。
【０００３】
具体的に、特許文献１には、吸着剤が担持された第１吸着熱交換器及び第２吸着熱交換器を用いて空気の湿度調節を行う調湿装置が開示されている。この調湿装置では、第１吸着熱交換器で第１空気を除湿して第２吸着熱交換器で第２空気を加湿する動作と、第２吸着熱交換器で第１空気を除湿して第１吸着熱交換器で第２空気を加湿する動作とが交互に行われ、第１空気と第２空気との一方が給気ファンによって室内へ供給され、他方が排気ファンによって室外へ排出される。第１空気及び第２空気の流通経路は、８つのダンパによって切り換えられる。
【０００４】
また、特許文献２には、吸着剤が担持された第１吸着素子及び第２吸着素子を用いて空気の湿度調節を行う調湿装置が開示されている。この調湿装置では、運転を停止させる際に、運転の停止中に室外の空気が室内へ流入しないように全てのダンパが閉状態に設定される。
【特許文献１】特開２００５−２９１５３２号公報
【特許文献２】特開２００５−１６４１４８号公報
【発明の開示】
【発明が解決しようとする課題】
【０００５】
ところで、給気ファンや排気ファンは、ファンモータへの通電を直ちに停止すると、ファンモータがファンによって駆動されて過電流が生じるおそれがある。このため、給気ファンや排気ファンは、ファンモータの回転数を徐々に低減させながら停止させる必要がある。つまり、給気ファンや排気ファンを停止させるのにはある程度の時間が必要である。
【０００６】
一方、調湿装置では、例えば運転を停止させる場合に、給気ファンや排気ファンに対する停止の指令と、開状態のダンパに対する閉状態への切換の指令とが同時に出力されるのが普通である。しかし、停止の指令と切換の指令とが同時に出力されると、給気ファンや排気ファンの回転が停止する前に、ダンパが閉じきって空気の流通経路を塞いでしまう場合があり、給気ファンや排気ファンを停止させる際に各ファンの負荷が増大する場合があった。
【０００７】
本発明は、かかる点に鑑みてなされたものであり、その目的は、給気ファン及び排気ファンと、ケーシング内の空気の流通経路を切り換える複数のダンパとを備える調湿装置において、給気ファンや排気ファンを停止させる際の各ファンの負荷を低減させることにある。
【課題を解決するための手段】
【０００８】
第１の発明は、第１空気及び第２空気が内部を流通するケーシング（11）を備え、上記ケーシング（11）には、それぞれに吸着剤が担持された第１吸着用部材（51）及び第２吸着用部材（52）と、上記第１吸着用部材（51）及び第２吸着用部材（52）に空気を送るための給気ファン（26）及び排気ファン（25）と、上記第１空気及び第２空気の流通経路を切り換えるための複数のダンパ（41〜48）とが設けられ、上記各ダンパ（41〜48）を開状態と閉状態との間で切り換えることによって、上記第１吸着用部材（51）で第１空気を除湿すると同時に上記第２吸着用部材（52）で第２空気を加湿する第１動作と、該第２吸着用部材（52）で第１空気を除湿すると同時に該第１吸着用部材（51）で第２空気を加湿する第２動作とを交互に行い、該第１空気と第２空気との一方を上記給気ファン（26）によって室内へ供給して、他方を上記排気ファン（25）によって室外へ排出する調湿装置を対象とする。
【０００９】
そして、この調湿装置は、上記給気ファン（26）、上記排気ファン（25）、及び上記複数のダンパ（41〜48）を制御する制御手段（30）を備え、上記制御手段（30）は、上記給気ファン（26）及び排気ファン（25）のうち少なくとも一方を停止させる場合に、停止させるファン（25,26）に停止指令を出力した時点から所定の制御時間の経過後に、該停止指令を出力したファン（25,26）と同じ流通経路のダンパ（41〜48）に対して、閉状態への切換指令を出力する。
【００１０】
第１の発明では、給気ファン（26）及び排気ファン（25）のうち少なくとも一方を停止させる場合に、制御手段（30）は、停止させるファン（25,26）に停止指令を出力した時点から所定の制御時間の経過後に、停止指令を出力したファン（25,26）と同じ流通経路のダンパ（41〜48）に対して、閉状態への切換指令を出力する。つまり、制御手段（30）は、給気ファン（26）を停止させる場合には、給気ファン（26）に停止指令を出力した時点から所定の制御時間の経過後に、給気ファン（26）と同じ流通経路のダンパ（41〜48）に対して、閉状態への切換指令を出力する。また、制御手段（30）は、排気ファン（25）を停止させる場合には、排気ファン（25）に停止指令を出力した時点から所定の制御時間の経過後に、排気ファン（25）と同じ流通経路のダンパ（41〜48）に対して、閉状態への切換指令を出力する。また、制御手段（30）は、給気ファン（26）及び排気ファン（25）の両方を同時に停止させる場合には、停止指令を出力した時点から所定の制御時間の経過後に、給気ファン（26）と同じ流通経路のダンパ（41〜48）と排気ファン（25）と同じ流通経路のダンパ（41〜48）に対して、閉状態への切換指令を出力する。この第１の発明では、停止させるファン（25,26）に対する停止指令に遅れて、停止指令を出力したファン（25,26）と同じ流通経路のダンパ（41〜48）に閉状態への切換指令が出力される。
【００１１】
第２の発明は、上記第１の発明において、上記制御手段（30）には、上記制御時間が予め設定されている。
【００１２】
第２の発明では、制御手段（30）に予め制御時間を設定している。給気ファン（26）及び排気ファン（25）のうち少なくとも一方を停止させる場合には、停止させるファン（25,26）と同じ流通経路のダンパ（41〜48）に対する閉状態への切換指令が、停止させるファン（25,26）に停止指令を出力した時点から予め設定された制御時間の経過後に出力される。
【００１３】
第３の発明は、上記第２の発明において、上記制御手段（30）では、上記停止指令の出力時点から該停止指令を受けたファン（25,26）が停止するまでの時間よりも長い時間に上記制御時間が設定されている。
【００１４】
第３の発明では、制御時間が、停止指令の出力時点から停止指令を受けたファン（25,26）が停止するまでの時間よりも長い時間に設定されている。このため、給気ファン（26）及び排気ファン（25）のうち少なくとも一方を停止させる場合に、停止指令を受けたファン（25,26）と同じ流通経路のダンパ（41〜48）に対する閉状態への切換指令が、停止指令を受けたファン（25,26）が停止した後に出力される。
【００１５】
第４の発明は、上記第１の発明において、上記制御手段（30）が、上記停止指令を受けたファン（25,26）における該停止指令の出力時点の回転速度に基づいて上記制御時間を決定する。
【００１６】
第４の発明では、制御時間が、停止指令を出力したファン（25,26）における停止指令の出力時点の回転速度に基づいて決定される。このため、停止指令の出力時点のファン（25,26）の回転速度に応じた時間に制御時間が決定される。
【００１７】
第５の発明は、上記第１の発明において、上記制御手段（30）は、上記制御時間が、上記停止指令の出力時点から該停止指令を受けたファン（25,26）の回転速度が所定の設定速度を下回った時点までの時間になるように構成されている。
【００１８】
第５の発明では、上記制御時間が、停止指令の出力時点から停止指令を受けたファン（25,26）の回転速度が所定の設定速度を下回った時点までの時間になっている。つまり、停止指令を受けたファン（25,26）の回転速度が所定の設定速度を下回ると、停止指令を出力したファン（25,26）と同じ流通経路のダンパ（41〜48）に対して、閉状態への切換指令が出力される。
【００１９】
第６の発明は、上記第１の発明において、上記制御手段（30）は、上記制御時間が、上記停止指令の出力時点から該停止指令を受けたファン（25,26）の回転速度が所定の設定速度を下回った時点までの時間に所定の時間を加えた時間になるように構成されている。
【００２０】
第６の発明では、上記制御時間が、停止指令の出力時点から停止指令を受けたファン（25,26）の回転速度が所定の設定速度を下回った時点までの時間に所定の時間を加えた時間になっている。つまり、停止指令を受けたファン（25,26）の回転速度が所定の設定速度を下回った時点から所定の時間の経過後に、停止指令を出力したファン（25,26）と同じ流通経路のダンパ（41〜48）に対して、閉状態への切換指令が出力される。
【００２１】
第７の発明は、上記第１乃至第６の何れか１つの発明において、上記ケーシング（11）には、上記第１吸着用部材（51）及び第２吸着用部材（52）をバイパスする空気が流通するバイパス通路（81,82）が形成されると共に、該バイパス通路（81,82）での空気の流通を断続するためのバイパス用のダンパ（49,50）が設けられ、上記バイパス用のダンパ（49,50）のみを開状態に設定した状態で、空気の湿度調節を行うことなく上記バイパス通路（81,82）を通じて室内の換気を行う単純換気運転を行う一方、上記制御手段（30）は、上記単純換気運転において上記給気ファン（26）及び排気ファン（25）のうち少なくとも一方を停止させる場合に、停止させるファン（25,26）に停止指令を出力した時点から所定の制御時間の経過後に、該停止指令を出力したファン（25,26）と同じ流通経路のバイパス用のダンパ（49,50）に対して、閉状態への切換指令を出力する。
【００２２】
第７の発明では、バイパス用のダンパ（49,50）のみを開状態に設定した状態で、バイパス通路（81,82）を通じて単純換気運転が行われる。そして、単純換気運転において給気ファン（26）及び排気ファン（25）のうち少なくとも一方を停止させる場合に、停止させるファン（25,26）と同じ流通経路のバイパス用のダンパ（49,50）に対する閉状態への切換指令が、停止させるファン（25,26）に停止指令を出力した時点から所定の制御時間の経過後に出力される。
【発明の効果】
【００２３】
本発明では、停止させるファン（25,26）に対する停止指令に遅れて、停止指令を出力したファン（25,26）と同じ流通経路のダンパ（41〜48）に閉状態への切換指令が出力されるようにしている。このため、ファン（25,26）への停止指令の時点に比べてファン（25,26）の風量が減少した状態、あるいはファン（25,26）の風量がゼロになった状態で、ダンパ（41〜48）に対する切換指令が出力される。従って、ダンパ（41〜48）が閉じきった時点でファン（25,26）の回転が停止していない場合には、ファン（25,26）の負荷を軽減させることができるし、ダンパ（41〜48）が閉じきった時点でファン（25,26）の回転が停止している場合には、空気の流通経路の閉塞によってファン（25,26）の負荷が増大することを回避できる。
【００２４】
また、上記第３の発明では、給気ファン（26）及び排気ファン（25）のうち少なくとも一方を停止させる場合に、停止指令を受けたファン（25,26）と同じ流通経路のダンパ（41〜48）に対する閉状態への切換指令が、停止指令を受けたファン（25,26）が停止した後に出力される。このため、停止指令を受けたファン（25,26）がまだ送風しているにも拘わらず該ファン（25,26）と同じ流通経路のダンパ（41〜48）が閉じきってしまうことを回避できるので、空気の流通経路の閉塞によってファン（25,26）の負荷が増大することを回避できる。
【００２５】
また、上記第４の発明では、停止指令の出力時点のファン（25,26）の回転速度に応じた時間に制御時間が決定されるようにしている。ここで、停止指令を受けたファン（25,26）が停止するまでの時間は、停止指令の出力時点のファン（25,26）の回転速度に応じて変化する。このため、停止指令を受けたファン（25,26）が停止するまでの時間が制御時間に反映されるので、ファン（25,26）が停止するまでの時間に対して適切な時間に制御時間を決定することができる。
【００２６】
また、上記第７の発明では、バイパス通路（81,82）を通じて単純換気運転を行う調湿装置において、単純換気運転において給気ファン（26）及び排気ファン（25）のうち少なくとも一方を停止させる場合に、停止させるファン（25,26）に停止指令を出力した時点から所定の制御時間の経過後に、停止指令を出力したファン（25,26）と同じ流通経路のバイパス用のダンパ（49,50）に対して、閉状態への切換指令が出力される。このため、単純換気運転において給気ファン（26）や排気ファン（25）を停止させる場合においても、各ファン（25,26）の負荷を軽減させることができる。
【発明を実施するための最良の形態】
【００２７】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２８】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２９】
調湿装置（10）は、ケーシング（11）を備えている。また、ケーシング（11）内には、冷媒回路（56）が収容されている。この冷媒回路（56）には、第１吸着熱交換器（51）、第２吸着熱交換器（52）、圧縮機（53）、四方切換弁（54）、及び電動膨張弁（55）が接続されている。第１吸着熱交換器（51）は第１吸着用部材を構成し、第２吸着熱交換器（52）は第２吸着用部材を構成している。冷媒回路（56）の詳細は後述する。
【００３０】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００３１】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３２】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３３】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３４】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３５】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３６】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３７】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（56）の電動膨張弁（55）が収容されている。
【００３８】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３９】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００４０】
上流側仕切板（71）には、後述する第１空気及び第２空気の流通経路を切り換えるための開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００４１】
下流側仕切板（72）には、後述する第１空気及び第２空気の流通経路を切り換えるための開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００４２】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４３】
給気ファン室（36）には、第１吸着用部材（51）及び第２吸着用部材（52）に空気を送るための給気ファン（26）が収容されている。また、排気ファン室（35）には、第１吸着用部材（51）及び第２吸着用部材（52）に空気を送るための排気ファン（25）が収容されている。給気ファン（26）及び排気ファン（25）は、何れも遠心型の多翼ファン（いわゆるシロッコファン）であり、ファンモータの回転に伴って空気を送風する。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４４】
給気ファン室（36）には、冷媒回路（56）の圧縮機（53）と四方切換弁（54）とが収容されている。圧縮機（53）及び四方切換弁（54）は、給気ファン室（36）における給気ファン（26）と仕切板（77）との間に配置されている。
【００４５】
ケーシング（11）内において、第１仕切板（74）と第１側面パネル部（14）の間の空間は、第１吸着用部材（51）及び第２吸着用部材（52）をバイパスする空気が流通する第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス通路（81）での空気の流通を断続するための第１バイパス用ダンパ（49）が設けられている。
【００４６】
ケーシング（11）内において、第２仕切板（75）と第２側面パネル部（15）の間の空間は、第１吸着用部材（51）及び第２吸着用部材（52）をバイパスする空気が流通する第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス通路（82）での空気の流通を断続するための第２バイパス用ダンパ（50）が設けられている。
【００４７】
なお、図２の右側面図及び左側面図では、第１バイパス通路（81）、第２バイパス通路（82）、第１バイパス用ダンパ（49）、及び第２バイパス用ダンパ（50）の図示を省略している。
【００４８】
各ダンパ（41〜50）は、ダンパモータを備えている。各ダンパ（41〜50）は、ダンパモータに通電されると、開状態と閉状態との間で切り換える切換動作を実行する。切換動作は、後述するダンパ制御部（63）から切換指令を受けると開始される。
【００４９】
〈冷媒回路の構成〉
図３に示すように、冷媒回路（56）は、第１吸着熱交換器（51）、第２吸着熱交換器（52）、圧縮機（53）、四方切換弁（54）、及び電動膨張弁（55）が設けられた閉回路である。この冷媒回路（56）は、充填された冷媒を循環させることによって、蒸気圧縮冷凍サイクルを行う。
【００５０】
冷媒回路（56）において、圧縮機（53）は、その吐出側が四方切換弁（54）の第１のポートに、その吸入側が四方切換弁（54）の第２のポートにそれぞれ接続されている。また、冷媒回路（56）では、第１吸着熱交換器（51）と電動膨張弁（55）と第２吸着熱交換器（52）とが、四方切換弁（54）の第３のポートから第４のポートへ向かって順に接続されている。
【００５１】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００５２】
冷媒回路（56）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５３】
また、冷媒回路（56）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５４】
また、冷媒回路（56）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５５】
<コントローラの構成>
本実施形態の調湿装置（10）には、調湿装置（10）の運転を制御するためのコントローラ（30）が設けられている。コントローラ（30）は制御手段を構成している。コントローラ（30）は、図４に示すように、ファン制御部（62）とダンパ制御部（63）とを備えている。
【００５６】
ファン制御部（62）は、給気ファン（26）及び排気ファン（25）の運転状態を制御するように構成されている。ファン制御部（62）は、給気ファン（26）を起動させる際には給気ファン（26）に対して起動指令を出力し、給気ファン（26）を停止させる際には給気ファン（26）に対して停止指令を出力する。また、ファン制御部（62）は、排気ファン（25）を起動させる際には排気ファン（25）に対して起動指令を出力し、排気ファン（25）を停止させる際には排気ファン（25）に対して停止指令を出力する。
【００５７】
ダンパ制御部（63）は、ダンパ（41〜50）を開状態と閉状態との間で切り換える切換動作を制御するように構成されている。ダンパ制御部（63）は、上述した１０個のダンパ（41〜50）の切換動作を個別に制御する。
【００５８】
ダンパ制御部（63）には、後述する除湿換気運転の第１動作と、除湿換気運転の第２動作と、加湿換気運転の第１動作と、加湿換気運転の第２動作と、単純換気運転とのそれぞれについてダンパ（41〜50）の開閉状態の組合せが予め記憶されている。ダンパ制御部（63）は、運転状態の切り換えが行われる場合と、第１動作と第２動作との切り換えが行われる場合とに、切り換え後のダンパ（41〜50）の開閉状態の組合せに基づいて切換動作を行うダンパ（41〜50）を選択する。そして、ダンパ制御部（63）は、選択したダンパ（41〜50）に対して、切換動作の実行を指令する切換指令を出力する。切換制御部（64）は、ダンパ（41〜50）を閉状態から開状態へ切り換える場合には、開状態への切換指令を出力し、ダンパ（41〜50）を開状態から閉状態へ切り換える場合には、閉状態への切換指令を出力する。
【００５９】
また、ダンパ制御部（63）は、給気ファン（26）を停止させる場合に、給気ファン（26）に停止指令を出力した時点から所定の設定時間（例えば１５秒）の経過後に、給気ファン（26）と同じ流通経路のダンパ（41〜50）に対して、閉状態への切換指令を出力する。また、ダンパ制御部（63）は、排気ファン（25）を停止させる場合に、排気ファン（25）に停止指令を出力した時点から所定の設定時間（例えば１５秒）の経過後に、排気ファン（25）と同じ流通経路のダンパ（41〜50）に対して、閉状態への切換指令を出力する。ダンパ制御部（63）には、設定時間が予め設定されている。設定時間は、本発明に係る制御時間に相当する。設定時間は、給気ファン（26）及び排気ファン（25）が最高回転数の状態から停止に至るまでに必要な時間よりも長い時間に設定されている。
【００６０】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００６１】
〈除湿換気運転〉
除湿換気運転中の調湿装置（10）では、第１バイパス用ダンパ（49）及び第２バイパス用ダンパ（50）以外のダンパ（41〜48）を開状態と閉状態との間で切り換える切換動作を行うことによって、後述する第１動作と第２動作が所定の時間間隔（例えば３分間隔）で交互に繰り返される。この除湿換気運転中において、第１バイパス用ダンパ（49）及び第２バイパス用ダンパ（50）は、常に閉状態となる。
【００６２】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６３】
先ず、除湿換気運転の第１動作について説明する。図５に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（56）では、四方切換弁（54）が第１状態（図３(Ａ)に示す状態）に設定され、第１吸着熱交換器（51）が凝縮器となって第２吸着熱交換器（52）が蒸発器となる。
【００６４】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６５】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６６】
次に、除湿換気運転の第２動作について説明する。図６に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（56）では、四方切換弁（54）が第２状態（図３(Ｂ)に示す状態）に設定され、第１吸着熱交換器（51）が蒸発器となって第２吸着熱交換器（52）が凝縮器となる。
【００６７】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６８】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６９】
〈加湿換気運転〉
加湿換気運転中の調湿装置（10）では、第１バイパス用ダンパ（49）及び第２バイパス用ダンパ（50）以外のダンパ（41〜48）を開状態と閉状態との間で切り換える切換動作を行うことによって、後述する第１動作と第２動作が所定の時間間隔（例えば４分間隔）で交互に繰り返される。この加湿換気運転中において、第１バイパス用ダンパ（49）及び第２バイパス用ダンパ（50）は、常に閉状態となる。
【００７０】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００７１】
先ず、加湿換気運転の第１動作について説明する。図７に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（56）では、四方切換弁（54）が第１状態（図３(Ａ)に示す状態）に設定され、第１吸着熱交換器（51）が凝縮器となって第２吸着熱交換器（52）が蒸発器となる。
【００７２】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７３】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７４】
次に、加湿換気運転の第２動作について説明する。図８に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（56）では、四方切換弁（54）が第２状態（図３(Ｂ)に示す状態）に設定され、第１吸着熱交換器（51）が蒸発器となって第２吸着熱交換器（52）が凝縮器となる。
【００７５】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７６】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７７】
〈単純換気運転〉
単純換気運転中における調湿装置（10）の動作について、図９を参照しながら説明する。
【００７８】
単純換気運転中の調湿装置（10）では、第１バイパス用ダンパ（49）及び第２バイパス用ダンパ（50）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（56）の圧縮機（53）は停止状態となる。
【００７９】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（49）を通って給気ファン室（36）へ流入し、その後に給気口（22）を通って室内へ供給される。
【００８０】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（50）を通って排気ファン室（35）へ流入し、その後に排気口（21）を通って室外へ排出される。
【００８１】
−コントローラの動作−
給気ファン（26）や排気ファン（25）を停止させる際のコントローラ（30）の動作について説明する。なお、以下では、除湿換気運転の第１動作において、調湿装置（10）の運転を停止させる際の動作について説明する。調湿装置（10）の運転を停止させる際には、給気ファン（26）と排気ファン（25）の両方が停止される。
【００８２】
なお、除湿換気運転の第１動作では、第１内気側ダンパ（41）、第２外気側ダンパ（44）、第２給気側ダンパ（46）、及び第１排気側ダンパ（47）が開状態に設定され、第２内気側ダンパ（42）、第１外気側ダンパ（43）、第１給気側ダンパ（45）、及び第２排気側ダンパ（48）が閉状態に設定されている。また、開状態のダンパのうち第２外気側ダンパ（44）及び第２給気側ダンパ（46）には給気ファン（26）が送る空気が流通し、第１内気側ダンパ（41）及び第１排気側ダンパ（47）には排気ファン（25）が送る空気が流通する。つまり、第２外気側ダンパ（44）及び第２給気側ダンパ（46）は給気ファン（26）と同じ第１空気の流通経路に属し、第１内気側ダンパ（41）及び第１排気側ダンパ（47）は排気ファン（25）と同じ第２空気の流通経路に属している。
【００８３】
まず、コントローラ（30）に例えばリモコンから運転停止の指令が入力されると、ファン制御部（62）は、給気ファン（26）及び排気ファン（25）のそれぞれに対して、ファンモータの停止を指令する停止指令を出力する。停止指令は、給気ファン（26）と排気ファン（25）に対して同時に出力される。ファン制御部（62）では、図１０に示すように、給気ファン（26）及び排気ファン（25）の指示値がそれぞれオン状態からオフ状態に変更される。
【００８４】
停止指令を受けた給気ファン（26）では、停止指令を受けた直後からファンモータへの入力が調節されることによって、ファンモータの回転数が徐々に低下してゆき、停止指令から例えば１０秒程度経過後にファンモータが停止する。また、排気ファン（25）でも、同様に、停止指令を受けた直後からファンモータへの入力が調節されることによって、ファンモータの回転数が徐々に低下してゆき、停止指令から例えば１０秒程度経過後にファンモータが停止する。
【００８５】
続いて、停止指令の出力時点から設定時間（例えば１５秒）の経過後に、ダンパ制御部（63）が、第１内気側ダンパ（41）、第２外気側ダンパ（44）、第２給気側ダンパ（46）、及び第１排気側ダンパ（47）の各々に対して、閉状態への切換指令を出力する。これらのダンパ（41,44,46,47）への切換指令は同時に出力される。ダンパ制御部（63）では、図１０に示すように、第１内気側ダンパ（41）、第２外気側ダンパ（44）、第２給気側ダンパ（46）、及び第１排気側ダンパ（47）のそれぞれの指示値が、開状態から閉状態に設定される。
【００８６】
閉状態の切換指令を受けた第１内気側ダンパ（41）、第２外気側ダンパ（44）、第２給気側ダンパ（46）、及び第１排気側ダンパ（47）では、ダンパモータが起動する。そして、第１内気側ダンパ（41）、第２外気側ダンパ（44）、第２給気側ダンパ（46）、及び第１排気側ダンパ（47）が開状態から閉状態へ切り換わる。
【００８７】
この実施形態では、ダンパ制御部（63）に予め設定されている設定時間が、給気ファン（26）及び排気ファン（25）が最高回転数の状態から停止に至るまでに必要な時間よりも長い時間に設定されているので、停止指令を受けた給気ファン（26）と同じ流通経路の第２外気側ダンパ（44）及び第２給気側ダンパ（46）に対する閉状態への切換指令が、給気ファン（26）が停止した後に出力される。このため、給気ファン（26）がまだ送風しているにも拘わらず給気ファン（26）と同じ流通経路の第２外気側ダンパ（44）及び第２給気側ダンパ（46）が閉じきってしまうことが回避される。
【００８８】
また、停止指令を受けた排気ファン（25）と同じ流通経路の第１内気側ダンパ（41）及び第１排気側ダンパ（47）に対する閉状態への切換指令が、排気ファン（25）が停止した後に出力される。このため、排気ファン（25）がまだ送風しているにも拘わらず排気ファン（25）と同じ流通経路の第１内気側ダンパ（41）及び第１排気側ダンパ（47）が閉じきってしまうことが回避される。
【００８９】
なお、この調湿装置（10）では、単純換気運転において給気ファン（26）と排気ファン（25）の両方を停止させる場合も同様に、給気ファン（26）に停止指令を出力した時点から設定時間の経過後に、給気ファン（26）と同じ流通経路の第１バイパス用ダンパ（49）に対して、閉状態への切換指令が出力される。さらに、排気ファン（25）に停止指令を出力した時点から設定時間の経過後に、排気ファン（25）と同じ流通経路の第２バイパス用ダンパ（50）に対して、閉状態への切換指令が出力される。
【００９０】
また、この調湿装置（10）では、給気ファン（26）のみを停止させる場合や排気ファン（25）のみを停止させる場合も同様に、停止指令を受けたファン（25,26）と同じ流通経路のダンパ（41〜50）に対する閉状態への切換指令が、停止指令を受けたファン（25,26）が停止した後に出力される。例えば、第２バイパス用ダンパ（50）のみが開状態に設定された状態で排気ファン（25）のみが運転しているときに、排気ファン（25）を停止させる場合には、排気ファン（25）に停止指令を出力した時点から設定時間の経過後に、第２バイパス用ダンパ（50）に対して、閉状態への切換指令が出力される。
【００９１】
−実施形態の効果−
本実施形態では、給気ファン（26）及び排気ファン（25）のうち少なくとも一方を停止させる場合に、停止指令を受けたファン（25,26）と同じ流通経路のダンパ（41〜48）に対する閉状態への切換指令が、停止指令を受けたファン（25,26）が停止した後に出力される。このため、停止指令を受けたファン（25,26）がまだ送風しているにも拘わらず該ファン（25,26）と同じ流通経路のダンパ（41〜48）が閉じきってしまうことを回避できるので、空気の流通経路の閉塞によってファン（25,26）の負荷が増大することを回避できる。
【００９２】
なお、ダンパ制御部（63）に予め設定されている設定時間が、停止指令を受けた給気ファン（26）及び排気ファン（25）が停止に至るまでに必要な時間よりも短い時間に設定されていてもよい。この場合でも、ファン（25,26）への停止指令の時点に比べてファン（25,26）の風量が減少した状態で、ダンパ（41〜48）に対する切換指令が出力されるので、ダンパ（41〜48）が閉じきった時点におけるファン（25,26）の風量が小さくなる。従って、給気ファン（26）の停止時における給気ファン（26）の負荷、及び排気ファン（25）の停止時における排気ファン（25）の負荷を低減させることができる。
【００９３】
また、本実施形態では、バイパス通路（81,82）を通じて単純換気運転を行う調湿装置において、単純換気運転において給気ファン（26）及び排気ファン（25）のうち少なくとも一方を停止させる場合に、停止させるファン（25,26）に停止指令を出力した時点から所定の制御時間の経過後に、停止指令を出力したファン（25,26）と同じ流通経路のバイパス用のダンパ（49,50）に対して、閉状態への切換指令が出力される。このため、単純換気運転において給気ファン（26）や排気ファン（25）を停止させる場合においても、各ファン（25,26）の負荷を軽減させることができる。
【００９４】
−実施形態の変形例１−
本実施形態のダンパ制御部（63）は、停止指令を受けたファン（25,26）における停止指令の出力時点の回転速度に基づいて、停止指令から閉状態への切換指令までの時間である制御時間を決定するように構成されている。
【００９５】
具体的に、ダンパ制御部（63）には、ファン（25,26）の複数の回転速度の値のそれぞれに対して、設定時間が設定されている。各設定時間は、対応する回転速度の状態からファン（25,26）が停止に至るまでに必要な時間よりも長い時間に設定されている。例えば、回転速度が２０００（回転／分）に対して設定時間が１０秒に設定され、回転速度が１０００（回転／分）に対して設定時間が５秒に設定されている。
【００９６】
ダンパ制御部（63）は、例えば給気ファン（26）を停止させる場合に、給気ファン（26）に対して停止指令を出力した時点の給気ファン（26）の回転速度に近い回転速度に対応する設定時間を選択し、選択した設定時間を制御時間に決定する。そして、ダンパ制御部（63）は、停止指令を出力した時点から制御時間の経過後に、給気ファン（26）と同じ流通経路のダンパ（41〜50）に対して、閉状態への切換指令が出力する。
【００９７】
この変形例では、停止指令の出力時点のファン（25,26）の回転速度に応じた時間に制御時間が決定される。このため、停止指令を受けたファン（25,26）が停止するまでの時間が制御時間に反映されるので、ファン（25,26）が停止するまでの時間に対して適切な時間に制御時間を決定することができる。
【００９８】
なお、ダンパ制御部（63）に、制御時間を算出するための計算式が設定されていてもよい。この場合、制御時間は、ファン（25,26）に対して停止指令を出力した時点のファン（25,26）の回転速度を、設定された計算式に代入することによって計算される。
【００９９】
−実施形態の変形例２−
本実施形態のダンパ制御部（63）は、停止指令を受けたファン（25,26）の回転速度が所定の設定速度を下回ると、閉状態への切換指令を出力するように構成されている。この設定時間は、ダンパ制御部（63）に予め設定されている。
【０１００】
なお、ダンパ制御部（63）は、停止指令を受けたファン（25,26）の回転速度が所定の設定速度を下回った時点から所定の第２設定時間の経過後に、閉状態への切換指令を出力するように構成されていてもよい。
【０１０１】
《その他の実施形態》
上記実施形態は、以下の変形例のように構成してもよい。
【０１０２】
−第１変形例−
本実施形態の冷媒回路（56）について、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１０３】
−第２変形例−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【０１０４】
−第３変形例−
上記実施形態について、調湿装置（10）が次のように構成されていてもよい。
【０１０５】
図１１に示すように、本変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111,112）には多数の空気通路が形成されており、この空気通路を通過する際に空気が吸着剤と接触する。
【０１０６】
本変形例の調湿装置（10）は、除湿換気運転と、加湿換気運転と、単純換気運転とを選択的に行う。
【０１０７】
除湿換気運転中や加湿還気運転中の調湿装置（10）は、第１動作と第２動作を所定の時間間隔で交互に繰り返し行う。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【０１０８】
先ず、除湿換気運転及び加湿還気運転の第１動作について、図１１(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１０９】
次に、除湿換気運転及び加湿還気運転の第２動作について、図１１(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１１０】
そして、除湿換気運転中の調湿装置（10）は、除湿された第１空気（室外空気）を室内へ供給し、吸着素子（111,112）から脱離した水分を第２空気（室内空気）と共に室外へ排出する。また、加湿換気運転中の調湿装置（10）は、加湿された第２空気（室外空気）を室内へ供給し、吸着素子（111,112）に水分を奪われた第１空気（室内空気）を室外へ排出する。
【０１１１】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111,112）を通過後に室内へ供給され、室内空気は吸着素子（111,112）を通過後に室外へ排出される。単純換気運転中の調湿装置（10）において、室外空気や室内空気の流通経路の切り換えは行われない。
【０１１２】
なお、以上の実施形態は、本質的に好ましい例示であって、本発明、その適用物、あるいはその用途の範囲を制限することを意図するものではない。
【産業上の利用可能性】
【０１１３】
以上説明したように、本発明は、室内の湿度調節を行うための調湿装置について有用である。
【図面の簡単な説明】
【０１１４】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】調湿装置のコントローラの概略構成図である。
【図５】除湿換気運転の第１動作における空気の流れを示す調湿装置の概略の平面図、右側面図、及び左側面図である。
【図６】除湿換気運転の第２動作における空気の流れを示す調湿装置の概略の平面図、右側面図、及び左側面図である。
【図７】加湿換気運転の第１動作における空気の流れを示す調湿装置の概略の平面図、右側面図、及び左側面図である。
【図８】加湿換気運転の第２動作における空気の流れを示す調湿装置の概略の平面図、右側面図、及び左側面図である。
【図９】単純換気運転における空気の流れを示す調湿装置の概略の平面図、右側面図、及び左側面図である。
【図１０】給気ファンの指示値、排気ファンの指示値、及びダンパの指示値の状態の遷移を表す図表である。
【図１１】その他の実施形態の第３変形例の調湿装置を示す概略構成図であって、(Ａ)は第１動作中の動作を示すものであり、(Ｂ)は第２動作中の動作を示すものである。
【符号の説明】
【０１１５】
10      調湿装置
11      ケーシング
25      排気ファン
26      給気ファン
30      コントローラ（制御手段）
41〜50  ダンパ
51      第１吸着熱交換器（第１吸着用部材）
52      第２吸着熱交換器（第２吸着用部材）
【図１】
2009109142.tif 000003
【図２】
2009109142.tif 000004
【図３】
2009109142.tif 000005
【図４】
2009109142.tif 000006
【図５】
2009109142.tif 000007
【図６】
2009109142.tif 000008
【図７】
2009109142.tif 000009
【図８】
2009109142.tif 000010
【図９】
2009109142.tif 000011
【図１０】
2009109142.tif 000012
【図１１】
2009109142.tif 000013